(57)【要約】【課題】  光ピックアップの高さ制限内に収納することが可能で、固定部分全体の上面をトップカバーで覆うことが可能な、対称構造の対物レンズ駆動装置を提供すること。【解決手段】  対物レンズ（２）を保持する対物レンズホルダ（１）を４本のサスペンションワイヤ（１１）によってダンパベース（１０）で支持する、対称構造の対物レンズ駆動装置（１００）に於いて、４本のサスペンションワイヤ１１は、非駆動状態において、ダンパベース（１０）から対物レンズホルダ（１）へ向かうにつれて水平面（水平線）より上方へ所定の角度（θ）だけ傾いている。傾き角度（θ）は、０°より大きく５°以下の範囲であることが好ましい。【選択図】      図１０
2006066016.tif 000002
【特許請求の範囲】
【請求項１】
対物レンズを保持する対物レンズホルダを複数のサスペンションワイヤによってダンパベースで支持する、対称構造の対物レンズ駆動装置に於いて、
非駆動状態において、前記複数のサスペンションワイヤが、前記ダンパベースから前記対物レンズホルダへ向かうにつれて水平面より上方へ所定の角度だけ傾いていることを特徴とする対物レンズ駆動装置。
【請求項２】
前記対物レンズホルダを含む可動部分を除いて、前記ダンパベースを含む固定部分全体の上面を覆うトップカバーを更に有する、請求項１に記載の対物レンズ駆動装置。
【請求項３】
前記所定の角度が０°より大きく５°以下の範囲にある、請求項１に記載の対物レンズ駆動装置。
【請求項４】
前記対物レンズ駆動装置は、光の波長の異なる複数の光ディスクのいずれに対しても記録・再生可能な２波長対応光ピックアップに搭載されるものであり、前記非駆動状態において、前記光ディスクと前記対物レンズとの間の距離が第１の波長を使用する第１の光ディスクの作動距離と第２の波長を使用する第２の光ディスクの作動距離との間の中間の距離になるように、前記対物レンズの位置が規定されている、請求項３に記載の対物レンズ駆動装置。
【請求項５】
請求項１乃至３の内のいずれかに記載の対物レンズ駆動装置を備えていることを特徴とする光ピックアップ。
【請求項６】
請求項４に記載の対物レンズ駆動装置を備えていることを特徴とする２波長対応光ピックアップ。
【発明の詳細な説明】
【技術分野】
【０００１】
本発明は、光ディスクドライブの光ピックアップに用いられる対物レンズ駆動装置に関し、特にその対物レンズホルダに関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｌａｙ、ＨＤ  ＤＶＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
一方、周知のように、ＤＶＤ装置においては、ディジタル・ヴァーサタイル・ディスク（ＤＶＤ）とコンパクト・ディスク（ＣＤ）とのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザ光を使い分けて記録・再生を行うものであり、「２波長対応光ピックアップ」と呼ばれている。
【０００４】
この種の２波長対応光ピックアップの一種として、ＤＶＤ用に短波長レーザ光（第１のレーザ光）を出射するためのＤＶＤ用の第１のレーザダイオードと、ＣＤ用の長波長レーザ光（第２のレーザ光）を出射するためのＣＤ用の第２のレーザダイオードとを備えたものがある（例えば、特許文献１参照）。
【０００５】
しかしながら、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。
【０００６】
しかしながら、この１チップ型レーザダイオードは、第１のレーザ光を出射する第１の発光点と第２のレーザ光を出射する第２の発光点とは所定距離（例えば、１００μｍ）だけ離れているので、第１のレーザ光と第２のレーザ光とは互いに所定距離だけ離間して平行に出射されることになる。したがって、このような離間した２つのレーザ光の１つを光ディスクに照射した場合には、種々の問題が起こる。そのため、何らかの光軸一致手段を使用することによって、第１のレーザ光と第２のレーザ光とを同一の光軸上に導くことが好ましい。
【０００７】
このような問題点を解決した２波長レーザモジュールが提案されている（例えば、特許文献３参照）。この提案された２波長レーザモジュールは、第１の波長を持つ第１のレーザ光を出射する第１のレーザ光源と、第１の波長と異なる第２の波長を持つ第２のレーザ光を出射する第２のレーザ光源と、第１のレーザ光又は第２のレーザ光を受け、同一の光軸上へレーザ光を出射する光軸一致手段とを備え、第１のレーザ光源と第２のレーザ光源と光軸一致手段とを１つのパッケージ内に収容している。
【０００８】
また、上記１チップ型レーザダイオードでは、離間した２つのレーザ光を光ディスクに照射した場合、そこで反射した戻り光（ディスク反射光）もまた互いに光軸がずれた状態で反射する（戻ってくる）ことになる。したがって、このままの状態では、光検出器において、１つの受光位置でそれらディスク反射光を受光することができない。この問題を解決した光ピックアップも提案されている（例えば、特許文献４参照）。この提案された光ピックアップは、互いに異なる第１および第２の波長を持つ第１および第２のレーザ光を、それぞれ互いに所定距離だけ離れた第１および第２の発光点から平行に出射する２波長１パッケージレーザダイオードと、第１および第２のレーザ光を光ディスク側へ導くとともに、光ディスク側から入射する光軸のずれた第１および第２の戻り光を透過する光学系と、この光学系を透過した第１および第２の戻り光を、それらの光軸が光検出器の１つの受光位置で一致するように、光検出器へ導く光軸合わせ素子とを備えている。
【０００９】
いずれにしても、この種の光ディスクドライブは、高さサイズの小さい所謂、薄型（スリム型、又はウルトラスリム型）にされる傾向にあり、そのために光ピックアップの主要部を構成する光ピックアップアクチュエータも薄型化することが要求されている。
【００１０】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。
【００１１】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【００１２】
上記光ピックアップアクチュエータは、フォーカシング制御、トラッキング制御及びチルティング制御を可能にするための装置であり、対物レンズ駆動装置とも呼ばれる。対物レンズ駆動装置は、対物レンズを保持する対物レンズホルダを、複数のサスペンションワイヤによってダンパベースで弾性支持している。
【００１３】
ところで、対物レンズ駆動装置は、「対称構造のもの」と「非対称構造のもの」とに分類される。ここで、対称構造の対物レンズ駆動装置とは、対物レンズを中心としてコイルやマグネットを含む磁気回路が対称に配置されるものをいう。一方、非対称構造の対物レンズ駆動装置とは、対物レンズに対してコイルやマグネットを含む磁気回路が非対称に配置されるものをいう。
【００１４】
対称構造の対物レンズ駆動装置では、対物レンズホルダに１つのフォーカシングコイルを巻回し、対物レンズホルダの側面にトラッキングコイル及びチルティングコイルを貼り付け、これらのコイルを磁気回路のギャップ内に部分的に位置させている。このような構成において、各コイルに流れる電流を制御することで、従来の対称構造の対物レンズ駆動装置は、対物レンズの位置及び傾きを微調整することができる（例えば、特許文献５参照。）。尚、トラッキングコイル及びチルティングコイルは、対物レンズホルダの側面に貼り付ける必要上、空芯コイルで構成されている。
【００１５】
従来の対称構造の対物レンズ駆動装置においては、複数のサスペンションワイヤは、非駆動状態において水平になるように設けられている。詳述すると、対物レンズ駆動装置は、対物レンズを保持する対物レンズホルダを含む可動部分とダンパベースを含む固定部分とに分けられる。可動部分は複数のサスペンションワイヤによってダンパベースで支持される。複数のサスペンションワイヤは、ダンパベースと対物レンズホルダとの間で水平面と平行になるように設けられている。
【００１６】
【特許文献１】特開２００３−２７２２２０号公報
【特許文献２】特開平１１−１４９６５２号公報
【特許文献３】特開２００１−２８４７４０号公報
【特許文献４】特開２００２−２８８８７０号公報
【特許文献５】特開２００１−９３１７７号公報
【発明の開示】
【発明が解決しようとする課題】
【００１７】
前述したように、光ピックアップ自体が薄型（スリム型、又はウルトラスリム型）にされる傾向にある。更に、２波長対応光ピックアップのように、１つの光ピックアップで多波長を扱う場合もある。このような場合でも、光ピックアップでは、その高さ制限内に対物レンズ駆動装置を納める必要がある。しかしながら、従来の対称構造の対物レンズ駆動装置では、複数のサスペンションワイヤが非駆動状態において水平になるように設けられているので、対物レンズ駆動装置を光ピックアップの高さ制限（上限）内に納めることが困難になってしまう。何故なら、複数のサスペンションワイヤを支持するダンパベースの高さ（上面）が、光ピックアップの高さ制限ぎりぎりの高さになってしまうからである。また、その結果として、従来の対物レンズ駆動装置においては、可動部分を除く固定部分全体の上面をトップカバーで覆うことができず、衝撃等でのサスペンションワイヤの変形等を防止することができない。
【００１８】
そこで、本発明の解決課題は、光ピックアップの高さ制限内に収納することが可能な、対称構造の対物レンズ駆動装置を提供することにある。
【００１９】
本発明の他の解決課題は、固定部分全体の上面をトップカバーで覆うことが可能な、対称構造の対物レンズ駆動装置を提供することにある。
【課題を解決するための手段】
【００２０】
本発明によれば、対物レンズ（２）を保持する対物レンズホルダ（１）を複数のサスペンションワイヤ（１１）によってダンパベース（１０）で支持する、対称構造の対物レンズ駆動装置（１００）に於いて、非駆動状態において、前記複数のサスペンションワイヤが、前記ダンパベースから前記対物レンズホルダへ向かうにつれて水平面より上方へ所定の角度（θ）だけ傾いていることを特徴とする対物レンズ駆動装置（１００）が得られる。
【００２１】
上記レンズ駆動装置において、前記対物レンズホルダ（１）を含む可動部分を除いて、前記ダンパベース（１０）を含む固定部分全体の上面を覆うトップカバー（２０）を更に有して良い。また、前記所定の角度（θ）が０°より大きく５°以下の範囲にあることが好ましい。さらに、前記対物レンズ駆動装置（１００）が、光の波長の異なる複数の光ディスクのいずれに対しても記録・再生可能な２波長対応光ピックアップ（２００）に搭載されるものである場合、前記非駆動状態において、前記光ディスクと前記対物レンズとの間の距離が第１の波長を使用する第１の光ディスクの作動距離と第２の波長を使用する第２の光ディスクの作動距離との間の中間の距離になるように、前記対物レンズ（２）の位置が規定されていることが望ましい。
【００２２】
なお、上記括弧内の参照符号は、単に本発明の理解を容易にするために付したものであって、何ら本発明を限定するものではない。
【発明の効果】
【００２３】
複数のサスペンションワイヤを所定の角度だけ傾けて斜めにアセンブリしたので、ゲイン−周波数特性や可動範囲に影響を与えることなく、光ピックアップを薄型化することができる。その結果、可動部分を除く固定部分全体の上面を覆うように、トップカバーを取り付けることが可能となり、衝撃等によりサスペンションワイヤの変形等を防止することができる。
【発明を実施するための最良の形態】
【００２４】
以下、図面を参照して本発明の実施の形態について詳細に説明する。
【００２５】
最初に本発明の理解を容易にするために、図１５および図１６を参照して、従来の対物レンズ駆動装置１００Ａについて説明する。図１５は従来の対物レンズ駆動装置１００Ａの斜視図である。図１６は従来の対物レンズ駆動装置１００Ａの側面図である。
【００２６】
対物レンズ駆動装置１００Ａは、略直方体の形状をしている対物レンズホルダ１Ａを備える。対物レンズホルダ１Ａは、中央に対物レンズ２を装着するための貫通孔によるレンズ装着部を有する。対物レンズホルダ１Ａは、四隅にチルティングコイル４およびフォーカシングコイル３を収容するための４つの主開口を持つ。これら４つの主開口は、ヨーク１５Ａのヨーク片１５−５を露出するためのものでもある。また、対物レンズホルダ１Ａのレンズ装着部のトラッキング方向Ｔｒの両側には、補助マグネット１６Ａを収容するための２つの補助開口を持つ。
【００２７】
対物レンズホルダ１Ａの４つの外側壁のうち、トラッキング方向Ｔｒ、つまり幅方向に平行な２つの外側壁には上記主開口に対応する箇所にそれぞれトラッキングコイル５が取り付けられている。
【００２８】
対物レンズホルダ１Ａは、タンジェンシャル方向Ｔｇに延在する４本のサスペンションワイヤ１１によりダンパベース１０で支持される。換言すれば、４本のサスペンションワイヤ１１は、タンジェンシャル方向Ｔｇおよびトラッキング方向Ｔｒによって規定される水平面に沿って水平に設けられている。ダンパベース１０におけるタンジェンシャル方向Ｔｇに平行な２つの側壁にはそれぞれ、２本のサスペンションワイヤ１１の一端を支持するための支持部１０−１が形成されている。各サスペンションワイヤ１０−１の一端は支持部１０−１を貫通し、突き抜けた状態で固着される。この支持部１０−１の内側に２本のリードワイヤ１２の一端が取り付けられている。ダンパベース１０は、支持部１０−１からタンジェンシャル方向Ｔｇに離間した対物レンズホルダ１Ａ側にダンパ部１０−２を有する。ダンパ部１０−２は、フォーカシング方向Ｆ、つまり上下方向（垂直方向）の両端にＵ字形状の溝１０−２ａを持ち、この溝１０−２ａにはシリコーンゲル等のダンピング材（図示せず）が充填される。
【００２９】
一方、対物レンズホルダ１Ａにおけるタンジェンシャル方向Ｔｇに平行な２つの側壁には、それぞれ、２本のサスペンションワイヤ１１の他端を支持するための支持部１Ａ−５が形成されている。各サスペンションワイヤ１１は支持部１Ａ−５を貫通し、突き抜けた状態で固着される。
【００３０】
周知のように、これら４本のサスペンションワイヤ１１および２本のリードワイヤ１２は、上記の各種コイルと外部回路、つまり対物レンズ駆動装置１００Ａのための駆動回路とを電気的に接続するための配線としても利用される。
【００３１】
対物レンズホルダ１Ａの下側には、上記の各種コイルとの間で磁気回路を形成するためのヨーク１５Ａと４つの主マグネット１６と２つの補助マグネット１６Ａとの組み合わせ体が配置される。４つの主マグネット１６は、ヨーク１５Ａのタンジェンシャル方向Ｔｇの両端部に４つのトラキングコイル５と対向するように取り付けられている。２つの補助マグネット１６Ａは、上述したようにレンズ装着部のトラッキング方向Ｔｒの両側で、かつ４つのヨーク片１５−５の間に、ヨーク１５Ａに取り付けられる。
【００３２】
図１６に示されるように、従来の対物レンズ駆動装置１００Ａにおいては、４本のサスペンションワイヤ１１は、非駆動状態において、水平になるように設けられ（アセンブリされ）ている。尚、「非駆動状態」とは、上記各種コイル３，４，５のいずれにも電流が流されておらず、対物レンズホルダ１Ａを含む可動部分（対物レンズホルダアセンブリ）が自重で釣り合っている状態をいう。換言すれば、４本のサスペンションワイヤ１１は、非駆動状態において、タンジェンシャル方向Ｔｇに延在している。
【００３３】
そのため、ダンパベース１０（詳しくは、支持部１０−１およびダンパ部１０−２）の上面が、ほぼ光ピックアップの高さ上限と一致してしまう。その結果、上述したように、光ピックアップの高さ制限内に対物レンズ駆動装置１００Ａを納めることが困難になる。
【００３４】
それ故に、従来の対物レンズ駆動装置１００Ａにおいては、図１５に示されるように、光ピックアップのトップカバー２０Ａは、ダンパベース１０の上面の一部のみしか覆うことかできない。すなわち、トップカバー２０Ａは、支持部１０−１とダンパ部１０−２とを除いた、ダンパベース１０の上面のみを覆っている。換言すれば、トップカバー２０Ａは、対物レンズ駆動装置１００Ａの可動部分を除いた、固定部分全体の上面を覆うことができない。従って、衝撃等が生じた場合は、サスペンションワイヤ１１が変形する虞があった。
【００３５】
図１は、本発明の一実施の形態に係る対物レンズ駆動装置１００の斜視図であって、金属製トップカバー(後述する)を取り外した状態で示してある。
【００３６】
図１に示すように、対物レンズ駆動装置１００は、対物レンズホルダ１を備える。対物レンズホルダ１は、中央に対物レンズ２を装着するための貫通孔によるレンズ装着部(後述する)を有する。対物レンズホルダ１のレンズ装着部のトラッキング方向Ｔｒの両側には、後述するチルティングコイルおよびフォーカシングコイル３を巻回するための一対の主巻枠部（後述する）が設けられている。
【００３７】
この主巻枠部はまた、その上側の開口がヨークの一部（後述する）を露出させるための開口となる。対物レンズホルダ１の４つの外側壁のうち、トラッキング方向Ｔｒ、つまり幅方向に平行な２つの外側壁には上記主巻枠部に対応する箇所にそれぞれ、トラッキングコイル５を巻回するための副巻枠部１−３が設けられている。
【００３８】
対物レンズホルダ１は、本実施の形態では、４本のサスペンションワイヤ１１によりダンパベース１０で支持される。つまり、ダンパベース１０におけるタンジェンシャル方向Ｔｇに平行な２つの側壁にはそれぞれ、２本のサスペンションワイヤ１１の一端を支持するための支持部１０−１が形成されている。各サスペンションワイヤ１１の一端は支持部１０−１を貫通し、突き抜け支持部１０−１の上下面に設けられた凹部１０−１ａで接着固定される。この支持部１０−１の内側に２本のリードワイヤ１２の一端が取付けられている。ダンパベース１０は、支持部１０−１からタンジェンシャル方向Ｔｇに離間した対物レンズホルダ１側にダンパ部１０−２を有する。ダンパ部１０−２は、フォーカシング方向Ｆの両端にＵ字形状の溝１０−２ａを持ち、この溝１０−２ａにはシリコーンゲル等のダンピング材１３が充填されている。
【００３９】
一方、対物レンズホルダ１におけるタンジェンシャル方向Ｔｇに平行な２つの側壁には、それぞれ、２本のサスペンションワイヤ１１の他端および１本のリードワイヤ１２の他端を支持するための支持部１−５が形成されている。各サスペンションワイヤ１１およびリードワイヤ１２の他端は支持部１−５を貫通し、突き抜けた状態で接着固定される。
【００４０】
周知のように、これら４本のサスペンションワイヤ１１および２本のリードワイヤ１２は、上記の各種コイルと外部回路、つまり対物レンズ駆動装置１００のための駆動回路とを電気的に接続するための配線としても利用される。
【００４１】
対物レンズホルダ１の下側には、上記の各種コイルとの間で磁気回路を形成するためのヨーク１５と４つのマグネット１６との組合わせ体が配置される。ヨーク１５は、対物レンズホルダ１の一方の側壁に形成された２つの副巻枠部１−３に巻き回された２つのトラッキングコイル５と間隔をおいて対向する第１の立上げ部（第１の壁部材）１５−１と、対物レンズホルダ１の他方の側壁に形成された２つの副巻枠部１−３に巻き回された２つのトラッキングコイル５と間隔をおいて対向する第２の立上げ部（第２の壁部材）１５−２とを有する。ヨーク１５はまた、第１の立上げ部１５−１と第２の立上げ部１５−２との間に、２つの第３の立上げ部（ヨーク片）１５−３を有する。２つの第３の立上げ部１５−３はそれぞれ、対物レンズホルダ１の主巻枠部内に挿通するようにされる。なお、第２の立上げ部１５−２には、矢印Ａで示されるような、対物レンズホルダ１に装着された対物レンズ２に対するレーザ光の光路を確保するための開口１５−２ａが形成されている。
【００４２】
また、ヨーク１５は、第１の立上げ部１５−１の中央部からタンジェンシャル方向Ｔｇに延在してダンパベース１０の上面を覆う延在部１５−４を有する。
【００４３】
いずれにしても、このようなヨーク１５は板部材により作られ、第１乃至第３の立上げ部１５−１〜１５−３および延在部１５−４は、矩形上の底面部（主面部）からの折曲げ加工により形成される。
【００４４】
４つのマグネット１６のうちの２つは第１の立上げ部１５−１の内面側に取り付けられて２つのトラッキングコイル５に対向し、残りの２つは第２の立上げ部１５−２の内面側に取り付けられて２つのトラッキングコイル５に対向する。
【００４５】
図２および図３は、図１に図示した対物レンズ駆動装置１００を含む光ピックアップ２００を示す図である。図２は表面側から見た光ピックアップ２００の斜視図である。図３は裏面側から見た光ピックアップ２００の斜視図である。本光ピックアップ２００は、２波長対応型である。
【００４６】
光ピックアップ２００は、光学ベース２１０を有し、この光学ベース２１０上に対物レンズ駆動装置１００が搭載されている。光学ベース２１０は、光ディスクドライブに導入された光ディスクの半径方向（トラッキング方向Ｔｒ）に沿って移動可能にガイドバー（図示せず）に取り付けられている。また、光学ベース２１０には、後述するように、レーザダイオード、光検出器、及び所定の光学系が取り付けられており、レーザダイオードからのレーザ光が対物レンズ２を通して光ディスクに照射され、その反射光が光検出器に導かれるように構成されている。
【００４７】
図示の光ピックアップ２００は、光学ベース２１０上に搭載された受発光一体型モジュール３００を備えている。受発光一体型モジュール３００は、レーザ発光素子３１０と、光軸補正素子３２０と、偏光ビームスプリッタ３３０と、フロントモニタ３４０と、センサレンズ３５０と、光検出器３６０とを備えている。レーザ発光素子３１０は、金属フレーム３７０上に搭載されている。レーザ発光素子３１０は、第１のレーザダイオードと第２のレーザダイオードとを１部品（１チップ）で構成した１チップ型レーザダイオードである。光軸補正素子３２０は、第１のレーザダイオードから出射される第１のレーザ光の光軸と、第２のレーザダイオードから出射される第２のレーザ光の光軸とを一致させるためのものである。
【００４８】
尚、第１のレーザダイオードは、第１の波長としてＤＶＤ用の波長約６５０ｎｍを持つ第１のレーザ光を出射するレーザダイオードである。第２のレーザダイオードは、第２の波長としてＣＤ用の波長約７８０ｎｍを持つ第２のレーザ光を出射するレーザダイオードである。
【００４９】
受発光一体型モジュール３００と対物レンズ駆動装置１００との間には、コリメータレンズ２２０が光学ベース２１０に取り付けられている。また、対物レンズ２の下方には全反射型ミラー（立上げミラー）２３０が設けられている。
【００５０】
対物レンズホルダ１には、後述するように、チルティングコイル、フォーカシングコイル及びトラッキングコイルが巻回されており、これらのコイルに流す電流を適切に制御することにより、対物レンズホルダ１は、ヨーク１５及びマグネット１６が作り出す磁界との関係に基づき、トラッキング方向（Ｔｒ）に傾動し（タンジェンシャル方向Ｔｇに平行な軸を回転軸として回動し）、またトラッキング方向（Ｔｒ）に沿って移動し、あるいはフォーカシング方向（Ｆ）に沿って移動する。
【００５１】
次に、図２及び図３に図示した２波長対応光ピックアップ２００の動作について説明する。最初に、光ディスクとしてＤＶＤを使用した場合の動作について説明し、その後で、光ディスクとしてＣＤを使用した場合の動作について説明する。
【００５２】
光ディスクがＤＶＤである場合、第１のレーザダイオードのみが動作状態に置かれ、第２のレーザダイオードは非動作状態に置かれる。したがって、第１のレーザダイオードのみが第１のレーザ光を出射している。
【００５３】
ＤＶＤ用の第１のレーザダイオードから出射された第１のレーザ光は、光軸補正素子３２０を通り、ここで第１のレーザ光の光軸が補正される。この光軸補正された第１のレーザ光は、偏光ビームスプリッタ３３０に入射し、そのほとんどは偏光ビームスプリッタ３３０を透過するが一部が反射される。この偏光ビームスプリッタ３３０で反射されたレーザ光はフロントモニタ３４０でモニタされる。偏光ビームスプリッタ３３０を透過したレーザ光は、コリメータレンズ２２０で平行光にされ、全反射ミラー２３０を経て対物レンズ２に入射する。この対物レンズ２を透過したレーザ光は、ここで収束されて、光ディスクであるＤＶＤの記録面に照射される（集光される）。
【００５４】
なお、この技術分野で周知のように、２波長対応光ピックアップは、書込みモードと再生モードとのいずれか一方で動作する。書込みモードの場合には、以上の説明で動作が終了する。それに対して、再生モードの場合には、さらに、次の動作が行われる。
【００５５】
この光ディスク（ＤＶＤ）の記録面からの反射光（第１の戻り光）は、対物レンズ２を通過し、全反射ミラー２３０で反射され、コリメータレンズ２２０を透過した後、収束光になる。この収束光は、偏光ビームスプリッタ３３０で反射され、センサレンズ３５０を透過した後、光検出器３６０に集光する（で受光される）。
【００５６】
次に、光ディスクがＣＤである場合、第２のレーザダイオードのみが動作状態に置かれ、第１のレーザダイオードは非動作状態に置かれる。したがって、第２のレーザダイオードのみが第２のレーザ光を出射している。
【００５７】
ＣＤ用の第２のレーザダイオードから出射された第２のレーザ光は、光軸補正素子３２０を通り、ここで第２のレーザ光の光軸が補正される。以後の動作は、上述した光ディスクがＤＶＤである場合と同様である。すなわち、この光軸補正された第２のレーザ光は、偏光ビームスプリッタ３３０に入射し、そのほとんどは偏光ビームスプリッタ３３０を透過するが一部が反射される。この偏光ビームスプリッタ３３０で反射されたレーザ光はフロントモニタ３４０でモニタされる。偏光ビームスプリッタ３３０を透過したレーザ光は、コリメータレンズ２２０で平行光にされ、全反射ミラー２３０を経て対物レンズ２に入射する。この対物レンズ２を透過したレーザ光は、ここで収束されて、光ディスクであるＣＤの記録面に照射される（集光される）。
【００５８】
この光ディスク（ＣＤ）の記録面からの反射光（第２の戻り光）は、対物レンズ２を通過し、全反射ミラー２３０で反射され、コリメータレンズ２２０を透過した後、収束光になる。この収束光は、偏光ビームスプリッタ３３０で反射され、センサレンズ３５０を透過した後、光検出器３６０に集光する（で受光される）。
【００５９】
以下、対物レンズホルダ１について詳述する。
【００６０】
対物レンズホルダ１は、図４（ａ）に示すような上側部材５０と、図４（ｂ）に示すような下側部材５５とからなる。
【００６１】
図４（ａ）に示すように、上側部材５０は、概略矩形の板状（下側部材５５に対向する面が略四角形）であり、その中央部には、対物レンズ２を取り付けるための貫通孔によるレンズ装着部５０１が形成されている。また、レンズ装着部５０１を間に挟んで上側部材５０のトラッキング方向Ｔｒの両側には、ヨーク１５の一部（第３の立上げ部１５−３）を挿入するための２つの矩形穴５０２ａが対称的な位置に形成されている。
【００６２】
上側部材５０には、また、トラッキング方向（Ｔｒ）両側にサスペンションワイヤ１１およびリードワイヤ１２の他端を支持するための支持部１−５が形成されている。さらに、上側部材５０のタンジェンシャル方向（Ｔｇ）両側には、その端部近傍に、トラッキングコイル５を巻回するための４個の第１のフック部５０４が、タンジェンシャル方向（Ｔｇ）に沿って突出するように形成されている。上側部材５０は、レーザ光の光路Ａを確保するための切欠き（開口）５０５を持つ。
【００６３】
一方、下側部材５５は、図４（ｂ）に示すように、概略コ字型板状部５５１を有している。この概略コ字型板状部５５１は、レーザ光の光路Ａを中心として対称な形状をしている。この概略コ字型板状部５５１の一面からは、２つの主巻枠部５５２が垂直方向に突出している。板状部５５１のサイズは、少なくともタンジェンシャル方向（Ｔｇ）に関して上側部材５０と同一である。
【００６４】
板状部５５１の両端部には、ヨーク１５の一部（第３の立上げ部１５−３）を挿入するための２つの矩形穴５０２ｂが形成されている。主巻枠部５５２は、この矩形穴５０２ｂを取り囲むように形成されている。下側部材５５は、レーザビームの光路Ａを確保するための切欠き（開口）５５３を持つ。
【００６５】
さらに、下側部材５５のタンジェンシャル方向（Ｔｇ）両側には、その端部近傍に、トラッキングコイル５を巻回するための４個の第２のフック部５５４（図４（ｂ）では３個のみが図示されている）が、タンジェンシャル方向（Ｔｇ）に沿って突出するように形成されている。
【００６６】
４個の第１のフック部５０４と４個の第２のフック部５５４との組み合わせは、トラッキングコイル５を巻回するための副巻枠部１−３として働く。
【００６７】
上述した上側部材５０及び下側部材５５は、互いに組み合わされて対物レンズホルダ１を構成するが、これらを組み合わせる前に、チルティングコイル及びフォーカシングコイルが、この順番で主巻枠部５５２に巻回される。
【００６８】
以下、図５乃至図９を参照して、対物レンズホルダ１にコイルを巻回して、対物レンズ駆動装置の可動部分を組み立てる工程について説明する。
【００６９】
先ず、図５に示すように、チルティングコイル４を、２個の主巻枠部５５２の夫々に順番に巻回する。この後、図６に示すように、これらチルティングコイル４が巻回された２個の主巻枠部５５２に、チルティングコイル４を覆うように重ねてフォーカシングコイル３を巻回する。
【００７０】
こうして、下側部材５５にチルティングコイル４及びフォーカシングコイル３を巻回した後、上側部材５０を下側部材５５に取り付ける。その状態を図７に示す。
【００７１】
また、図７に示す状態で、上側部材５０に形成された貫通孔（レンズ装着部）５０１の中心軸と、下側部材５５に形成された切欠き（開口）５５３の中心軸とは互いに一致する。また、上側部材５０に形成された４個の第１のフック部５０４と、下側部材５５に形成された４個の第２のフック部５５４とは、互いに対向しそれぞれ対を成す。第１のフック部５０４及び第２のフック部５５４の対は、前述したように、それぞれトラッキングコイルを巻回するための４個の副巻枠部１−３（図１）を構成する。
【００７２】
この後、図８に示すように、４個の副巻枠部１−３にトラッキングコイル５が巻回され、図９に示すように対物レンズ２およびディスクプロテクタ６が接着により上側部材５０に取り付けられる。図９に示されるような、対物レンズホルダ１に対物レンズ２、フォーカシングコイル３、チルティングコイル４、トラッキングコイル５、およびディスクプロテクタ６を組み合わせたものは、対物レンズホルダアセンブリと呼ばれる。すなわち、対物レンズホルダアセンブリは、対物レンズ駆動装置の可動部分として働く。
【００７３】
図１に示されるように、フォーカシングコイル３、トラッキングコイル５及びチルティングコイル４の端部は、接続端子６０１、６０２、６０３に接続される。ここで、フォーカシングコイル３及びトラッキングコイル５の端部が接続される接続端子６０１、６０２には、さらに、図１に示すように、上側部材５０に形成された支持部１−５にこの支持部１−５を貫通した状態で固定されるサスペンションワイヤ１１の一端が夫々接続される。一方、チルティングコイル４が接続される接続端子６０３には、図１に示すように、リードワイヤ１２が接続される。
【００７４】
図１に示されるようにリードワイヤ１２は支持部１−５を貫通して固定された後、下方に折り曲げられて対物レンズホルダ１の下側部材５５に設けられたチルティングコイル４用の接続端子６０３と接続される。
【００７５】
図１は、コイル３，４及び５が巻き回され、サスペンションワイヤ１１が取り付けられた対物レンズホルダ１に、ヨーク１５及びマグネット１６を組み合わせた状態を示す。なお、マグネット１６は、２極着磁マグネットである。
【００７６】
図１から容易に理解できるように、ヨーク１５とマグネット１６との組み合わせが作り出す磁気回路の磁気ギャップ内に、チルティングコイル４、フォーカシングコイル３及びトラッキングコイル５の各々の一部が配置されている。これにより、各コイルに流れる電流に応じて、対物レンズホルダ１は、移動し、また傾動する。即ち、各コイルに流れる電流を制御することにより、チルティング制御、フォーカシング制御及びトラッキング制御を行うことができる。
【００７７】
図１０に図１に図示した対物レンズ駆動装置１００の側面図を示す。図１０に示されるように、４本のサスペンションワイヤ１１は、非駆動状態において、ダンパベース１０から対物レンズホルダ１へ向かうにつれて水平面（水平線）より上方へ所定の角度θだけ傾いている。ここで、「非駆動状態」とは、前述したように、上記各種コイル３，４，５のいずれにも電流が流されておらず、対物レンズホルダ１を含む可動部分（対物レンズホルダアセンブリ）が自重で釣り合っている状態をいう。
【００７８】
上記傾き角度θは、０°より大きく５°以下の範囲であることが好ましい。図１０に示した例では、傾き角度θは０．７°である。尚、傾き角度θを５°以下に設定したのは、傾き角度θを５°より大きくすると、対物レンズ駆動装置１００のゲイン−周波数特性や可動範囲に影響を与える虞があるからである。
【００７９】
このように、４本のサスペンションワイヤ１１を所定の角度θだけ傾けて斜めにアセンブリしたので、ゲイン−周波数特性や可動範囲に影響を与えることなく、光ピックアップ２００を薄型化することが可能となる。
【００８０】
図１１乃至図１３に、光ピックアップのトップカバー２０を取り付けた（アセンブリした）状態の対物レンズ駆動装置１００を示す。図１１は対物レンズ駆動装置１００の斜視図である。図１２および図１３は、それぞれ、光学ベース２１０の舌片部２１０ａおよび立上げミラー２３０をも含む対物レンズ駆動装置１００の縦断面図および部分断面斜視図である。
【００８１】
すなわち、４本のサスペンションワイヤ１１を斜めにアセンブリしたので、図１１に示されるように、可動部分を除く固定部分全体の上面を覆うように、トップカバー２０を取り付けることができる。すなわち、トップカバー２０は、ダンパベース１０、第１の立上げ部１５−１、第２の立上げ部１５−２、およびマグネット１６の上面を覆っている。この場合、ダンパベース１０の上面位置を従来のものよりも下げることができるので、トップカバー２０の上面を光ピックアップ２００の高さ上限内に納めることが可能となる。固定部分全体の上面をトップカバー２０で覆うことにより、衝撃等によるサスペンションワイヤ１１の変形等を防止する効果がある。
【００８２】
図１４に、本発明に係る対物レンズ駆動装置１００とＤＶＤ／ＣＤの光ディスクとの位置関係を示す。対物レンズ駆動装置１００は、図２および図３に図示したような、２波長対応光ピックアップ２００に組み込まれる。２波長対応光ピックアップは、前述したように、ＤＶＤとＣＤとのいずれに対しても記録・再生可能な光ピックアップである。
【００８３】
図１４に示されるように、光ディスクがＤＶＤかＣＤかによって、その作動距離が異なる。すなわち、ＤＶＤ作動距離の方がＣＤ作動距離よりも長い。ここで、ＤＶＤ作動距離とは、光ディスクがＤＶＤである場合に、フォーカシング方向Ｆにおける最適な対物レンズ２とＤＶＤとの間の基準距離をいう。また、ＣＤ作動距離とは、光ディスクがＣＤである場合に、フォーカシング方向Ｆにおける最適な対物レンズ２とＣＤとの間の基準距離をいう。
【００８４】
本実施の形態では、非駆動状態において、対物レンズ２と光ディスクとの間の距離がＤＶＤ作動距離とＣＤ作動距離との間の中間の距離となるように、対物レンズ２の位置が規定されている。換言すれば、４本のサスペンションワイヤ１１で支持された対物レンズホルダアセンブリが自重で釣り合ったときの対物レンズ２の位置が、ＤＶＤ作動距離とＣＤ作動距離との間の中心（中立）位置になるようにされる。これにより、ＤＶＤ作動時またはＣＤ作動時におけるオフセット電流を均等にすることが可能となり、消費電流を軽減させる効果がある。
【００８５】
以上、本発明ついて一実施の形態に即して説明してきたが、本発明は上記実施の形態に限定されるものではない。
【図面の簡単な説明】
【００８６】
【図１】本発明の一実施の形態に係る対物レンズ駆動装置の斜視図である。
【図２】図１に図示した対物レンズ駆動装置を含む光ピックアップを表面側から見た斜視図である。
【図３】図２に図示した光ピックアップを裏面側から見た斜視図である。
【図４】図１の対物レンズ駆動装置に用いられる対物レンズホルダの（ａ）上側部材及び（ｂ）下側部材の斜視図である。
【図５】図４（ｂ）の下側部材にチルティングコイルを巻回した状態を示す斜視図である。
【図６】図５に示す状態の下側部材にフォーカシングコイルを巻回した状態を示す斜視図である。
【図７】図６に示す状態の下側部材に図４（ａ）の上側部材を取り付けた状態の対物レンズホルダを示す斜視図である。
【図８】図７に示す状態の対物レンズホルダにトラッキングコイルを巻き回した状態を示す斜視図である。
【図９】図８に示す状態の対物レンズホルダに対物レンズとディスクプロテクタとを接着により取り付けた状態を示す斜視図である。
【図１０】図１に図示した対物レンズ駆動装置の側面図である。
【図１１】図１に図示した対物レンズ駆動装置を、光ピックアップのトップカバーを取り付けた（アセンブリした）状態で示す斜視図である。
【図１２】図１１に図示した対物レンズ駆動装置を、光学ベースの舌片部および立上げミラーをも含んだ状態で示す縦断面図である。
【図１３】図１１に図示した対物レンズ駆動装置を、光学ベースの舌片部および立上げミラーをも含んだ状態で示す部分断面斜視図である。
【図１４】図１に図示した対物レンズ駆動装置とＤＶＤ／ＣＤの光ディスクとの位置関係を示す平面図である。
【図１５】従来の対物レンズ駆動装置を示す斜視図である。
【図１６】図１５に図示した対物レンズ駆動装置の側面図である。
【符号の説明】
【００８７】
１        対物レンズホルダ
１−３    副巻枠部
１−５    支持部
２        対物レンズ
３        フォーカシングコイル
４        チルティングコイル
５        トラッキングコイル
１０        ダンパベース
１０−１    支持部
１０−２    ダンパ部
１１        サスペンションワイヤ
１２        リードワイヤ
１３        ダンピング材
１５        ヨーク
１５−１    第１の立上げ部
１５−２    第２の立上げ部
１５−３    第３の立上げ部
１５−４    延在部
１６        マグネット
２０        トップカバー
５０        上側部材
５０１      レンズ装着部（貫通孔）
５０２ａ，５０２ｂ      矩形穴
５０４      第１のフック部
５０５      切欠き（開口）
５５        下側部材
５５１      コ字型板状部
５５２      主巻枠部
５５３      切欠き（開口）
５５４      第２のフック部
１００        対物レンズ駆動装置
２００        光ピックアップ
２１０        光学ベース
２１０ａ      舌片部
２２０        コリメータレンズ
２３０        全反射ミラー（立上げミラー）
３００        受発光一体型モジュール
３１０        レーザ発光素子
３２０        光軸補正素子
３３０        偏光ビームスプリッタ
３４０        フロントモニタ
３５０        センサレンズ
３６０        光検出器
３７０        金属フレーム
６０１        接続端子
６０２        接続端子
６０３        接続端子
【図１】
2006066016.tif 000003
【図２】
2006066016.tif 000004
【図３】
2006066016.tif 000005
【図４】
2006066016.tif 000006
【図５】
2006066016.tif 000007
【図６】
2006066016.tif 000008
【図７】
2006066016.tif 000009
【図８】
2006066016.tif 000010
【図９】
2006066016.tif 000011
【図１０】
2006066016.tif 000012
【図１１】
2006066016.tif 000013
【図１２】
2006066016.tif 000014
【図１３】
2006066016.tif 000015
【図１４】
2006066016.tif 000016
【図１５】
2006066016.tif 000017
【図１６】
2006066016.tif 000018